(57)【要約】【課題】居住空間のデッドスペースを利用した保管が可能であり、防災用品の管理が容易な防災用品収納パネルの提供。【解決手段】可撓性を有する発泡樹脂によって構成され、防災用品を収納可能な厚さを有するパネル状の収納体を有する防災用品収納パネルであって、防災用品収納パネルは、前記収納体の厚さ方向で対向する一対の側面を有し、一対の側面の少なくとも一方の面に、防災用品を収納する複数の収納口を有し、収納口は、防災用品が収納された状態において防災用品を外部から視認可能なように形成され、収納口に収納される防災用品を保持すべく防災用品の輪郭に適合した形状に形成されている。【選択図】図１
0003221623.tif 000002
【実用新案登録請求の範囲】
【請求項１】
可撓性を有する発泡樹脂によって構成され、防災用品を収納可能な厚さを有するパネル状の収納体を有する、防災用品収納パネルであって、
前記防災用品収納パネルは、前記収納体の厚さ方向で対向する一対の側面を有し、前記一対の側面の少なくとも一方の面に、前記防災用品を収納する複数の収納口を有し、
前記収納口は、前記防災用品が収納された状態において前記防災用品を外部から視認可能なように形成され、前記収納口に収納される前記防災用品を保持すべく前記防災用品の輪郭に適合した形状に形成されている、防災用品収納パネル。
【請求項２】
前記防災用品収納パネルは、扁平な略直方体状に形成され、
前記一対の側面に垂直な正面および／または前記一対の側面の少なくとも一方の面に、災害時の連絡先に関連する連絡先関連情報を表示可能な表示部を有している、請求項１に記載の防災用品収納パネル。
【請求項３】
前記連絡先関連情報が、前記収納体の表面に印刷された二次元コードを含む、請求項２に記載の防災用品収納パネル。
【請求項４】
前記収納体に、磁石を吸着可能な磁性体が埋設されており、前記正面または前記一対の側面の少なくとも一方の面に設けられた前記表示部に、前記連絡先関連情報が表示されたマグネットプレートを貼り付け可能である、請求項２に記載の防災用品収納パネル。
【請求項５】
前記側面における前記収納口の近傍には、前記収納口に収納される前記防災用品の品目及び関連情報が記載される表示ラベルが設けられている、請求項１〜４のいずれか１項に記載の防災用品収納パネル。
【請求項６】
請求項１〜５のいずれか１項に記載の防災用品収納パネルを備えた間仕切壁と、
前記間仕切壁に取り付けられ、前記防災用品収納パネルにアクセスできるように開閉される、開閉部と、
を備えた、防災用品収納構造。
【考案の詳細な説明】
【技術分野】
【０００１】
本考案は、防災用品収納パネルおよび防災用品収納構造に関する。さらに詳しくは、居住空間のデッドスペースを有効活用した防災用品を収納する防災用品収納パネルおよび防災用品収納構造に関する。
【背景技術】
【０００２】
災害発生時に持ち出すことを想定されている防災用品の保管方法として、特許文献１に開示されているような収納ケースが知られている。この収納ケースは、円筒状の容器中にウレタン製の断熱シートを円筒状に丸めて組み込み、その内側に防災用品を収納している。また、円筒状の容器は透過性を有しており、容器内側に配される災害マニュアルや、緊急連絡先などの情報が記載された用紙が容器外部から閲覧可能にされている。
【先行技術文献】
【特許文献】
【０００３】
【特許文献１】登録実用新案第３２１５０１３号公報
【考案の概要】
【考案が解決しようとする課題】
【０００４】
しかしながら、特許文献１に開示されている収納ケースでは、防災グッズはウレタン製の断熱シートに覆われた空間に収納されることから、容器内に防災グッズとして何が内部に保管されているかを外部から確認することができない。すなわち、容器内に保管されている防災グッズの品目、その使用期限などを確認しようとする場合には、容器から防災グッズを取り出して確認するという比較的煩雑な作業が必要であり、この作業を怠ると、すでに使用期限が過ぎた防災グッズを保管しつづけて、いざ災害が発生した際には防災グッズが使用不能であるという事態が発生する虞もある。
【０００５】
そこで、本考案はかかる問題点に鑑みて、居住空間のデッドスペースを利用した保管が可能であり、収納されている防災グッズの品目、その使用期限などの情報が簡易に把握可能で、管理が容易な防災用品収納パネルおよび防災用品収納構造を提供することを目的とする。
【課題を解決するための手段】
【０００６】
本考案の防災用品収納パネルは、可撓性を有する発泡樹脂によって構成され、防災用品を収納可能な厚さを有するパネル状の収納体を有する、防災用品収納パネルであって、前記防災用品収納パネルは、前記収納体の厚さ方向で対向する一対の側面を有し、前記一対の側面の少なくとも一方の面に、前記防災用品を収納する複数の収納口を有し、前記収納口は、前記防災用品が収納された状態において前記防災用品を外部から視認可能なように形成され、前記収納口に収納される前記防災用品を保持すべく前記防災用品の輪郭に適合した形状に形成されている。
【０００７】
また、前記防災用品収納パネルは、扁平な略直方体状に形成され、前記一対の側面に垂直な正面および／または前記一対の側面の少なくとも一方の面に、災害時の連絡先に関連する連絡先関連情報を表示可能な表示部を有していることが好ましい。
【０００８】
前記連絡先関連情報が、前記収納体の表面に印刷された二次元コードを含み得る。
【０００９】
さらに、前記収納体に、磁石を吸着可能な磁性体が埋設されており、前記正面または前記一対の側面の少なくとも一方の面に設けられた前記表示部に、前記連絡先関連情報が表示されたマグネットプレートを貼り付け可能であることが好ましい。
【００１０】
また、前記側面における前記収納口の近傍には、前記収納口に収納される前記防災用品の品目及び関連情報が記載される表示ラベルが設けられていてもよい。
【００１１】
本考案の防災用品収納構造は、上述の防災用品収納パネルを備えた間仕切壁と、前記間仕切壁に取り付けられ、前記防災用品収納パネルにアクセスできるように開閉される、開閉部とを備える。
【考案の効果】
【００１２】
本考案の防災用品収納パネルおよび防災用品収納構造によれば、居住空間のデッドスペースを利用した保管が可能であり、収納されている防災グッズの品目、その使用期限などの情報が簡易に把握可能で、管理が容易となる。
【図面の簡単な説明】
【００１３】
【図１】本考案の災害待機パネルを示す概略斜視図である。
【図２】本考案の災害待機パネルの設置例を示す概略図である。
【図３】本考案の防災用品収納構造を示す概略図である。
【考案を実施するための形態】
【００１４】
以下、図面を参照し、防災用品を収納するパネル型の収納ケースである、本考案の防災用品収納パネルおよび防災用品収納構造を説明する。なお、以下の実施形態はあくまで一例であり、本考案の防災用品収納パネルおよび防災用品収納構造は、以下の実施形態に限定されるものではない。
【００１５】
図１は、本考案の一実施形態の防災用品収納パネルの一例を示す概略斜視図であり、図２は、図１に示される防災用品収納パネルが居住空間における隙間に設置された状態の例を示す図であり、図３は、本考案の防災用品収納パネルを備える防災用品収納構造を示す図である。
【００１６】
図１に示されるように、本実施形態の防災用品収納パネル１は、正面１１、背面、一対の側面１２、上面１３および下面を含む、扁平な略直方体状に形成されたパネル状の収納体１０を有している。収納体１０の厚さ（幅Ｗ）の方向で対向する一対の側面の一方の側面１２には、防災用品がはめ込まれるようにして収納される収納口１２０が形成されている。側面１２および正面１１には、災害時の連絡先に関連する連絡先関連情報が表示可能な表示部１００が設けられている。図１に示される例では、防災用品収納パネル１（収納体１０）の先端部１４は、正面１１と反対の方向に向けて先細りする（幅Ｗが小さくなる）形状に形成されている。
【００１７】
防災用品収納パネル１の収納口１２０には、地震、津波、台風、河川氾濫、高潮、土砂災害、等の自然災害の発生時に使用することが想定される防災用品が収納される。防災用品が収納された防災用品収納パネル１は、居住空間（例えば、住宅、オフィス、公共施設など）においてデッドスペースとなりやすい隙間に設置され、防災用品の保管に利用される。
【００１８】
防災用品収納パネル１が設置される隙間としては、例えば、冷蔵庫、本棚、ベッド、またはロッカーなどの家具類と壁との間の空間、または家具類同士の間の空間が利用され得る。家具の下の空間（家具と床との間の空間）、または、家具の上の空間（家具と天井との間の空間）も利用され得る。このような空間（隙間）に防災用品収納パネル１は差し込まれて設置される。これらの空間には埃がたまりやすく、防災用品収納パネル１によって塞がれることで、スペースの有効活用のみならず、居住空間の美観の向上にも資することとなり、快適性が向上し得る。
【００１９】
図２には、防災用品収納パネル１の設置例として、冷蔵庫４と壁３の間に防災用品収納パネル１が正面１１を生活領域側に向けて設置された状態が示されている。図示される例では、防災用品収納パネル１の高さＨの方向が鉛直方向となるように、防災用品収納パネル１が立てられて設置されているが、例えば、家具の下の隙間に設置される場合には、高さＨの方向が水平方向になるように、すなわち横に寝かせた状態で設置されてもよい。
【００２０】
防災用品収納パネル１が隙間へ挿入されて設置される際には、先端部１４が先細りに形成されていることによって、設置が容易になることがある。すなわち、防災用品収納パネル１を隙間へ差し込む際に、先端部１４は細く（幅Ｗが狭く）形成されていることで、差し込みが簡易になる。先端部１４が先行して隙間の内部に入り込むことで後続の部分（幅Ｗが広い部分）が隙間内に入り込みやすくなり、防災用品収納パネル１の隙間への挿入が確実かつ容易に行なうことができるようになる。なお、先細りの形状を有する先端部１４は必ずしも設けられる必要はなく、正面１１の防災用品収納パネル１に対する反対側の面は正面１１と平行な面として形成されてもよい。
【００２１】
地震、水害などの自然災害が発生した際には、防災用品収納パネル１は設置されている隙間から引き抜かれ、収納されている防災用品は収納口１２０から取り出されて、避難や救命に利用される。また、防災用品収納パネル１は、防災用品を収納したまま持ち運ばれることも想定される。例えば、夜間に地震が発生して停電した場合には、防災用品収納パネル１は隙間から引き抜かれ、収納されている防災用品のうちの即座に必要なもの（例えば、懐中電灯、防災ラジオ、避難用具）が取り出され、その他の防災用品は収納されたまま、避難先へと防災用品収納パネル１を運搬することになる。よって、図示されていないが、防災用品収納パネル１には、災害時に即座に隙間から引き抜きが可能なように、また、避難時の持ち運びが容易なように、例えば切欠部として形成される取手が正面１１または上面１３に設けられてもよい。別途、取手となる部材が防災用品収納パネル１に、例えば接着剤によって取り付けられてもよい。
【００２２】
防災用品収納パネル１を構成する収納体１０は、例えば、ポリウレタン、ポリスチレン、ポリエチレン、またはポリプロピレンなどの樹脂材料を発泡させて得られる発泡樹脂のフォームから形成される。これらの発泡樹脂は比重が小さく、防災用品収納パネル１を比較的軽量に形成することが可能であることから、防災用品収納パネル１の運搬を容易にし得る。また、特に水害発生時に浸水した場合には水面に浮くので、収納している防災用品を水没で紛失する可能性が低く、災用品収納パネル１のサイズによってはフロートの機能を有することになり水害時の救命に資することになり得る。発泡樹脂は比較的すぐれた断熱性を有していることから、防災用品収納パネル１は、防災用品をとり出した後にマットとして使用することも可能である。災害発生時の避難先において簡易ベッドとしても使用することができる。防災用品収納パネル１の収納体１０は、モールド成形またはスラブ成形された発泡樹脂フォームから、一体的に形成され得るが、薄手の板状の発泡樹脂フォームを複数枚重ねて貼り付けることで形成されてもよい。
【００２３】
防災用品収納パネル１は、収納口１２０による防災用品の保持の観点から、また、防災用品収納パネル１の隙間への挿入の観点から、適度な可撓性を有することが好ましく、災害時に家具などに押しつぶされて引き抜きが困難になる事態を回避する観点から、また、収納されている防災用品が外力によって破損することを回避する観点から、適度な剛性を有することが望ましい。本実施形態では、防災用品収納パネル１を構成する収納体１０は硬質ポリウレタンフォームから形成されている。
【００２４】
防災用品収納パネル１のサイズは、例えば幅Ｗが１０ｃｍ〜２０ｃｍ、高さＨが５０ｃｍ〜２００ｃｍ、奥行Ｄが５０ｃｍ〜１００ｃｍであるように形成することが可能であるが、災害待機パネル１に収納される防災用品のサイズ、数量、および防災用品収納パネル１が挿入される隙間のサイズに応じて適宜変更され得る。
【００２５】
続いて、側面１２に設けられている、防災用品を収納する収納口１２０について説明する。図１に示される例では、収納口１２０は、収納体１０の側面１２に、収納する防災用品の全体が収まるように、収納体１０の一部がくり抜かれた凹部として形成されている。防災用品はこの収納口１２０にはめ込まれるようにして収納される。収納された状態において防災用品はその全体が収納口１２０の凹部内に収まり、側面１２より外側にはみ出ないように収納される。収納される防災用品としては、食料（カップ麺、缶詰など）、ペットボトル入りの飲料、懐中電灯、電池、防災ラジオ、防災マニュアル、防寒具、応急医療器具、医薬品、工具、避難用品（ホイッスル、簡易トイレ、携帯浄水器、軍手、マッチ、防塵マスク、など）が含まれ得る。収納口１２０の凹部はこれらの防災用品の輪郭に適合する形状に形成されることで、はめ込まれた防災用品を適切な力で保持することができる。
【００２６】
収納される防災用品のうちのいくつかは、ケースにまとめられ、そのケースが収納口１２０にはめ込まれて収納される。例えば、レンチ、ニッパー、ハサミ、ドライバーなどの工具類は、それらが工具ケースにまとめて収納され、その工具ケースが収納口１２０にはめ込まれて収納されるのが、使用時の簡便性の観点から好ましい。その他、小型のものが含まれる避難用具や医薬品も同様にひとつのケースにまとめられて収納されることが好ましい。これらのケースは、保管時における内容物の管理の容易性の観点から外部から内容物が目視可能なように透光性を有することが好ましく、内容物の保護の観点から防滴性または防水性を有することが望ましい。
【００２７】
収納口１２０は側面１２のみならず、側面１２の収納体１０における反対側の側面にも形成されてよく、また、上面１３および正面１１にも形成されてよい。図２に示されるように、防災用品収納パネル１が冷蔵庫と壁の隙間に立てられて保管される場合においては、災害発生時に即座に使用が要求されることが推測される防災用品（例えば、懐中電灯）は、防災用品収納パネル１が隙間から引き抜かれずとも取り出して使用し得るように、正面１１または上面１３に形成される収納口に収納されてよい。また、平常時にも目を通しておくことが望ましい防災マニュアルも、上面１３または正面１１に形成される収納口に収納されてよい。防災用品収納パネル１が隙間に挿入された状態で防災マニュアルが取り出し可能であれば、平常時にも防災マニュアルに接する機会が増え、防災意識の向上に資するものと考えられる。なお、防災用品収納パネル１に収納される防災マニュアルとしては、掲載されている情報の実用価値の観点から、所在の自治体が発行している防災マニュアルが収納されていることが望ましい。
【００２８】
側面１２の収納口１２０の近傍には、収納口１２０に収納される防災用品の品目および使用期限などの情報が記載される表示ラベル１２１が設けられている。表示ラベル１２１は収納体１０の表面に直接印刷されることで形成されるか、または、シール、マグネットプレートなどの貼付体が収納体１０の表面に貼り付けられてもよい。品目が記載されている表示ラベル１２１が収納口の付近にあることで、収納口に収納されるべき防災用品を一目で把握することができ、平常時における防災用品の管理を簡易に行なうことができる。
【００２９】
例えば、収納すべき防災用品の一部を防災用品収納パネル１に収納して、残りの防災用品が未収納のままの状態で防災用品収納パネル１を保管し、後に未収納の防災用品を補おうとする場合を想定すると、補うべき品目を確認しようとする際に、防災用品が収納されていない収納口１２０に対応するが表示ラベル１２１を一目するだけで、補うべき防災用品の品目を網羅的に把握することができる。すなわち、未収納である防災用品の品目を確認するために、すでに収納されている防災用品をいちいち取り出して確認する手間を要しない。
【００３０】
図１では、側面１２に形成された収納口１２０は凹部として示されているが、収納口１２０は、側面１２から収納体１０の反対側の側面にまで貫通する貫通口として形成されてもよい。収納口が貫通口として形成されていれば、防災用品の収納および取り出しは両方の側面から行なうことが可能となる。この場合、表示ラベル１２１は両方の側面に設けられてよい。
【００３１】
防災用品収納パネル１の正面１１、および側面１２に設けられている表示部１００には、災害時の連絡先に関する連絡先関連情報が表示される。災害時の連絡先に関する連絡先関連情報としては、例えば、防災情報のポータルサイト、ＳＮＳ上の防災関係のアカウント、災害時伝言板サイトなどのインターネット上のアドレス、電気、ガス、水道などのライフライン関係の緊急連絡先電話番号、および警察、消防、医療機関などの連絡先が含まれ得る。防災用品販売業者や住宅設備修繕業者の業者広告も表示され得る。これらの情報は、例えばスマートフォンなどの携帯端末で読み取り可能なＱＲコード（登録商標）などの２次元コードによってスマートフォンなどの携帯機器で読み取り可能に表示されてよく、また文字および数字によって表示されてもよい。
【００３２】
表示部１００は、情報が収納体１０の表面に直接印刷されることで形成されるか、または、情報が印刷されたシールが収納体１０の表面に貼り付けられることで形成される。普段生活する空間に面する正面１１に、災害時の連絡先に関する連絡先関連情報が表示されていることで、災害発生時のみならず、平常時における設備トラブルや事故への対応にも役立ち得る。表示部１００は、収納体１０の表面に、例えば、取り外し可能な板状の鉄板を押し入れるか、または磁性塗料を塗布し、マグネットプレートが貼り付けられてもよい。収納体１０の内部に磁石を吸着可能な磁性体が埋設されることで、マグネットプレートが収納体１０の表面に貼り付けることが可能となる。
【００３３】
側面１２に設けられる表示部１００には、正面１１に設けられる表示部１００と比較すると平常時（防災用品収納パネル１が隙間に挿入されているとき）は外部から認識できないため、正面１１の表示部１００に表示される情報よりも比較的緊急性の低い情報が表示され得る。例えば、防災用品販売業者の業者広告が表示され得る。使用期限切れ等の理由で収納口１２０に収納する防災用品を更新する際には、業者広告が側面１２に表示されていることが、更新する防災用品の入手に役立つことがある。なお、本実施形態では、表示部１００は、防災用品収納パネル１の正面１１および側面１２の両方に設けられているが、正面１１および側面１２のうち、いずれか一方のみに設けられていてもよい。
【００３４】
防災用品収納パネル１の正面１１は、収納体１０に貼り付けられた被覆板（例えば化粧板）によって構成されてもよい。正面１１が被覆板で構成されることで居住空間の美観を向上させることができる。この場合、表示部１００は被覆板で構成される正面１１の表面に形成される。
【００３５】
続いて、図３を参照して、本考案の別の実施形態である防災用品収納構造について説明する。図３には、防災用品収納パネル２が間仕切壁５の一部の内部にはめ込まれ、開閉部５０によって間仕切壁５の内部に閉じ込められている防災用品収納構造が示されている。図３では、開閉部５０が閉じられた状態が示されているが、開閉部５０の一部が透過されて間仕切壁５の内部に設置された防災用品収納パネル２の一部が露出するように描かれている。防災用品収納パネル２は、例えば開き戸として構成される開閉部５０が開くことで防災用品収納パネル２に収納されている防災用品にアクセス可能であるように設置されている。
【００３６】
防災用品収納パネル２としては、上述の防災用品収納パネル１の一例が使用され得る。すなわち、防災用品収納パネル２は、発泡樹脂のフォームで形成される収納体２０の側面２２に、防災用品を収納する収納口２２０および表示ラベル２２１が設けられている。防災用品収納パネル２は、開閉部５０が閉じられた状態で側面２２が開閉部５０の内側（間仕切壁５の内部側）と対向するように、間仕切壁５の内部にはめ込まれるようにして設置される。収納口２２０には、上述の収納口１２０と同様に防災用品が収納され、表示ラベル２２１は収納口２２０の近傍に設けられて収納口２２０に収納される防災用品の品目および関連する情報が記載される。側面２２には、さらに、表示部１００と同様に災害時の連絡先に関連する情報が表示される表示部２００が設けられ得る。防災用品収納パネル２は防災用品収納パネル１と同様に、発泡樹脂のフォームで形成される収納体２０から構成されており、収納体２０は、発泡樹脂のフォームで一体的に形成されてよく、複数のパネル状の収納体が組み合わされることで形成されていてもよい。
【００３７】
本考案の防災用品収納構造によれば、防災用品は間仕切壁５の内部に保管されるので、居住空間に防災用品を保管する場所を設けることなく防災用品を保管することが可能である。また、収納体２０が発泡樹脂のフォームで形成されていることで、間仕切壁５に要求される本来の機能であるところの防音性および断熱性を維持したまま防災用品の収納に活用することが可能である。さらに、開閉部５０を開くだけで網羅的に防災用品にアクセスできることから、平常時の防災用品の管理が容易になると考えられる。
【００３８】
災害発生時には、間仕切壁５の開閉部５０が開放され、必要な防災用品が収納口２２０から取り出されて利用される。また、防災用品収納パネル２を間仕切壁５から引き抜いて避難先へと運搬してもよい。運搬することを考慮すると、防災用品収納パネル２は持ち運びが可能なサイズに形成されていることが好ましい。防災用品収納パネル２が運搬されることを想定されない場合、例えば、避難先となり得る施設の間仕切壁に防災用品収納パネル２が収められる場合には比較的大型のパネルが埋め込まれて防災用品の保管に利用されてよい。
【符号の説明】
【００３９】
１、２          防災用品収納パネル
１０、２０      収納体
１１            正面
１２、２２      側面
１３            上面
１４            先端部
１００、２００  表示部
１２０、２２０  収納口
１２１、２２１  表示ラベル
３              壁
４              冷蔵庫
５              間仕切壁
５０            開閉部
Ｗ              幅
Ｄ              奥行
Ｈ              高さ
【図１】
0003221623.tif 000003
【図２】
0003221623.tif 000004
【図３】
0003221623.tif 000005